(57)【要約】      （修正有）【課題】組立と折り畳みが容易で、飼い主の部屋に調和するように外観・材質を変化させ得るペットハウスを提供する。【解決手段】ペットの出入口６０を備えた六面体の形状を有する折り畳み可能なペットハウスであって、対向する位置関係にある第１のパネル１１と第２のパネル１２及び対向する位置関係にある第３のパネル１３と第４のパネル１４並びに対向する位置関係にある第５のパネル１５と第６のパネル１６とから壁面が構成され、全てのパネルが折り畳まれた際に重なり合う連結態様で連結手段により連結されている。第３のパネルと第６のパネルと第４のパネルと第５のパネルとを環状に連結して環状体を構成し、環状体の一端に第１のパネルを連結し、他端に第２のパネルを連結するのが好ましい。【選択図】図２
0003208857.tif 000002
【実用新案登録請求の範囲】
【請求項１】
ペットの出入口を備えた六面体の形状を有する折り畳み可能なペットハウスであって、対向する位置関係にある第１のパネルと第２のパネル及び対向する位置関係にある第３のパネルと第４のパネル並びに対向する位置関係にある第５のパネルと第６のパネルとから壁面が構成され、前記全てのパネルが折り畳まれた際に重なり合う連結態様で連結手段により連結されていることを特徴とするペットハウス。
【請求項２】
前記第３のパネルと前記第６のパネルと前記第４のパネルと前記第５のパネルとを環状に連結して環状体を構成し、前記環状体の一端に前記第1のパネルを連結し、前記環状体の他端に前記第２のパネルを連結したことを特徴とする請求項１に記載のペットハウス。
【請求項３】
前記第１のパネルが連結されたパネルと前記第２のパネルが連結されたパネルとが隣接していることを特徴とする請求項２に記載のペットハウス。
【請求項４】
組み立てた状態で前記連結手段により連結されていない隣接するパネル間を係合する係合手段を設けたことを特徴とする請求項１〜３のいずれか１項に記載のペットハウス。
【考案の詳細な説明】
【技術分野】
【０００１】
本考案は、折り畳み可能なペットハウスに関するものである。
【背景技術】
【０００２】
近年のペットブームにより、犬や猫を室内で飼育する家庭が増えている。この場合、ペットの住居する小屋（ペットハウス）は室内に配置することが一般的である。その一例として内側面に炭素粉末を含む塗料を塗布した段ボール製のペットハウス（以下「特許文献１」という。）が提案されている。
【先行技術文献】
【特許文献】
【０００３】
【特許文献１】登録実用新案第３１０００７６号広報
【考案の概要】
【考案が解決しようとする課題】
【０００４】
しかしながら、特許文献１に開示されているペットハウスは、段ボールを折って組み立てる構造になっているので、組み立てが困難である上、一旦組み立てたペットハウスを再度折り畳んで収納・運搬することができない。
また、意匠性に乏しく室内に設置したときに飼い主の部屋の雰囲気に調和させることもできない。
【０００５】
そこで、本考案は上記の問題点を解決することを課題としており、組立と折り畳みが容易で、飼い主の部屋に調和するように外観・材質を変化させ得るペットハウスを提供することを目的としている。
【課題を解決するための手段】
【０００６】
上記目的を達成するために本考案は、ペットの出入口を備える六面体の形状を有し、各面を構成する方形のパネルを連結手段で連結し、その連結箇所を工夫することにより収納時や持ち運び時に全てのパネルが重なり合うように折り畳み可能としたペットハウスであることを主な特徴とする。
【０００７】
すなわち、第一の本考案のペットハウスは、ペットの出入口を備えた六面体の形状を有する折り畳み可能なペットハウスであって、対向する位置関係にある第１のパネルと第２のパネル及び対向する位置関係にある第３のパネルと第４のパネル並びに対向する位置関係にある第５のパネルと第６のパネルとから壁面が構成され、前記全てのパネルが折り畳まれた際に重なり合う連結態様で連結手段により連結されていることを特徴とする。
【０００８】
第一の本考案は、組み立てたときにはペットハウスを構成する各々の面が六面体の形状を有し、折り畳んだときには、全ての面、すなわち第１のパネルと第４のパネルと第２のパネルと第３のパネルと第５のパネルと第６のパネルが、全て重なり合うような連結態様で構成されている。
代表的な連結態様は六面体の展開図を描いたときに各々の面が隣り合う箇所を折り曲げ可能な連結手段で連結する態様である。折り曲げ可能な連結手段としては、肘金具や布、紐、ゴム、合成樹脂等がある。
また、各パネルを構成する素材は、軽量で定型性を有するものであればよく、飼い主の趣味や部屋の雰囲気に合わせて材料を選択することができる。
【０００９】
例えば和風の部屋であれば、いぐさの畳表を用いて各パネルを製造してもよい。このときに各パネルの縁に畳へりを加えると純和風のペットハウスとなる。併せてこの畳へり同士を糸で縫合することで、折り曲げ可能な連結手段として用いてもよい。
また、ログハウス調の室内であれば、各パネルに無垢材を用いることもできる。そして折り曲げ可能な連結手段として肘金具を使用すれば、部屋の雰囲気に調和する。
【００１０】
さらに、第二の本考案のペットハウスは、第一の本考案のペットハウスにおいて第３のパネルと第６のパネルと第４のパネルと第５のパネルとを環状に連結して環状体を構成し、環状体の一端に第1のパネルを連結し、環状体の他端に第２のパネルを連結したことを特徴とする。
【００１１】
この連結態様によれば、組み立て時には折り畳まれた環状体を引き延ばして中空の四角柱を形成し、第1のパネルと第２のパネルをその上下端に重なるように折り返せばよい。
その際、第１のパネルと環状体、第２のパネルと環状体とが離れないように係合手段で係合することが好ましい。係合手段としては面ファスナー、紐、磁石、ボタン等が利用できる。
【００１２】
さらに、第三の本考案のペットハウスは、第二の本考案のペットハウスにおいて第１のパネルが連結されたパネルと第２のパネルが連結されたパネルとが隣接していることを特徴とする。
【００１３】
この構成とすることで、第１のパネルと第１のパネルが連結されたパネル、及び第２のパネルと第２のパネルが連結されたパネルの間に、他のパネルを挟むことなくペットハウスを折り畳むことができる。
【００１４】
さらに、第四の本考案のペットハウスは、第一〜第三のいずれか一つの考案のペットハウスにおいて、組み立てた状態で、連結手段により連結されていない隣接するパネル間を係合する係合手段を設けたことを特徴とする。
【００１５】
この構成とすることで、組み立てたペットハウスの形状が容易に変形することがない。係合手段としては、面ファスナー、紐、磁石、ボタン等が用いられる。
【考案の効果】
【００１６】
本考案のペットハウスは、組立と折り畳みが容易で、六面を構成するパネルの素材を選択することで飼い主の部屋に調和する外観・材質とすることができる。
【図面の簡単な説明】
【００１７】
【図１】本考案の実施の形態を示す斜視図である。
【図２】本考案の他の実施の形態を示す展開図である。
【図３】本考案の実施例の斜視図である。
【図４】本考案の実施例の第１方向から見た展開図である。
【図５】本考案の実施例の第１方向の反対側から見た展開図である。
【考案を実施するための形態】
【００１８】
本考案は、ペットの出入口を備えた六面体の形状を有する折り畳み可能なペットハウスである。各面を構成する方形のパネルを連結手段で連結し、その連結箇所を工夫することにより収納時や持ち運び時に全ての面が重なり合うように折り畳み可能としたものである。
以下に本考案の好ましい実施の形態について図を用いて説明する。
【００１９】
図１は、本考案の実施の形態を示す斜視図、図２は本考案の他の実施の形態を示す展開図である。
図１は、本考案のペットハウスの折り畳み途中の状態を示したものである。第３のパネル１３と第５のパネル１５と第４のパネル１４と第６のパネル１６とが連結手段４０によって環状に連結されている。そして第５のパネル１５の上辺に第２のパネル１２が同じく連結手段４０によって連結されている。一方、第１のパネル１１は連結手段４０によって第４のパネル１４の下辺に連結されている。
このように第２のパネル１２と第１のパネル１１を各々隣り合う第５のパネル１５と第４のパネル１４に連結することにより、折り畳んだときに、下から第１のパネル１１、第４のパネル１４、第６のパネル１６、第３のパネル１３、第５のパネル１５、第２のパネル１２と順に並ぶことになる。
【００２０】
組み立てるときには、第１のパネル１１と第２のパネル１２を引っ張って広げ、環状になっている第４のパネル１４、第６のパネル１６、第３のパネル１３、第５のパネル１５を中空の四角柱状に広げて、第１のパネル１１と第２のパネル１２を折り返して各々係合手段５０で第３のパネル１３と第６のパネル１６に留める。
【００２１】
次に本考案の他の実施の形態を図２を用いて説明する。図２は本考案の図１とは異なるペットハウスの実施形態である。立方体の展開図と同じように第５のパネル１５の右に第３のパネル１３、その右に第６のパネル１６、その右に第４のパネル１４が横一列に連結手段４０で連結されている。そして第５のパネル１５の下辺に第１のパネル１１が、第４のパネル１４の上辺に第２のパネル１２が各々連結手段４０で連結されている。
このペットハウス１は、第１のパネル１１から第５のパネル１５、第３のパネル１３、第６のパネル１６、第４のパネル１４、そして第２のパネル１２の順につづら折の状態で折り畳むことができる。組立時には、第５のパネル１５と第４のパネル１４とが係合手段５０により係合される。
【実施例】
【００２２】
次に、本考案のペットハウスを図３〜図５を用いて具体的に説明する。図３は本考案の一実施例の組み立て状態の斜視図である。壁面１０を構成する第１のパネル１１、第２のパネル（図示省略）、第３のパネル１３、第４のパネル１４、第５のパネル（図示省略）、第６のパネル１６は、正方形の畳表で形成されている。そして各々のパネルの四辺には畳へり７０が縫い付けてある。第１のパネル１１にはペットが出入りする出入口６０が設けられている。第３のパネル１３、第６のパネル１６、第４のパネル１４、第５のパネル（図示省略）で環状体を構成し、各々のパネル間は連結手段４０で連結されている。同様に環状体の前に第１のパネル１１、環状体の後に第２のパネル（図示省略）が連結手段４０で連結されている。
連結手段４０は、隣接する畳へり７０同士を糸で縫合することで実現されている。
【００２３】
図４は、図３のペットハウス１の第１方向から見た展開図である。第３のパネル１３の右に第６のパネル１６が連結手段４０により連結されている。図示はできないが、その次に第４のパネルと第５のパネルが同様に連結され、環状体を構成している。そして、第３のパネル１３の下にペットの出入口６０が設けられた第１のパネル１１が連結手段４０によって連結され、同様に第１のパネル１１の上に第２のパネル１２が連結されている。
連結手段４０は、畳へり７０同士を糸で縫合することで実現される。畳ヘリの端部と各パネルの端部との距離を調整することで各パネルの厚みに応じたスムーズな折り畳みが実現できる。
第２のパネル１２の上端と左右端には係合手段５０が設けられている。係合手段５０には面ファスナーが用いられる。第１のパネル１１にも同様に係合手段５０が設けられている。
そして、第６のパネル１６の内側上下端には、第２のパネルと第１のパネルとに係合するための係合手段５０が各々設けられている。
【００２４】
図５は、図３のペットハウス１の第１方向の反対側から見た展開図である。第４のパネル１４の右に第５のパネル１５が連結手段４０によって連結されている。第４のパネル１４の左端は第６のパネル（図示省略）に連結され、第５のパネル１５の右端も第３のパネル（図示省略）に連結され、環状体を構成している。
第１のパネル１１と第２のパネル１２は、その内側が本図に表れている。
そして、第４のパネル１４の内側上下端には、第１のパネル１１と第２のパネル１２とに係合するための係合手段５０が各々設けられている。また、第５のパネル１５の上下端にも第１のパネル１１と第２のパネル１２とに係合するための係合手段５０が各々設けられている。
本実施例では面ファスナーで係合手段５０が実現され、ペットハウス１の組立時には第１のパネル１１は第５のパネル１５、第６のパネル１６、第４のパネル１４に面ファスナーで係合される。また、第２のパネル１２も第５のパネル１５、第６のパネル１６、第４のパネル１４に面ファスナーで係合される。
【００２５】
以上説明した実施例では、六面体を形成する各パネルの素材は畳表であるが、これらの素材は、比較的軽量で定型性を有するものであればよい。また各パネルの素材に合わせて連結手段や係合手段を変更すると、意匠性に優れたペットハウスを実現できる。
【符号の説明】
【００２６】
１      ペットハウス
１０    壁面
１１    第１のパネル
１２    第２のパネル
１３    第３のパネル
１４    第４のパネル
１５    第５のパネル  
１６    第６のパネル
４０    連結手段
５０    係合手段
６０    出入口
７０    畳へり
【図１】
0003208857.tif 000003
【図２】
0003208857.tif 000004
【図３】
0003208857.tif 000005
【図４】
0003208857.tif 000006
【図５】
0003208857.tif 000007